(57)【要約】【課題】早期に再生させる必要性が高い情報を先に再生することができる通信装置を提供する。【解決手段】情報が入力される入力手段と、前記入力手段により入力された情報を記憶する第１記憶手段と、外部より通信情報を受信する受信手段と、前記受信手段により受信された通信情報を記憶する第２記憶手段と、人の存在を検知する検知手段と、前記検知手段により人の存在が検知されたことを条件に、前記第１記憶手段に記憶されている情報を、前記第２記憶手段に記憶されている通信情報に優先して再生する再生手段と、を有することを特徴とする。【選択図】図１
2008252352.tif 000002
【特許請求の範囲】
【請求項１】
情報が入力される入力手段と、
前記入力手段により入力された情報を記憶する第１記憶手段と、
外部より通信情報を受信する受信手段と、
前記受信手段により受信された通信情報を記憶する第２記憶手段と、
人の存在を検知する検知手段と、
前記検知手段により人の存在が検知されたことを条件に、前記第１記憶手段に記憶されている情報を、前記第２記憶手段に記憶されている通信情報に優先して再生する再生手段と、
を有することを特徴とする通信装置。
【請求項２】
請求項１に記載の通信装置において、
前記再生手段は、前記第１記憶手段に記憶されている情報を再生した後に、前記第２記憶手段に記憶されている通信情報を再生することを特徴とする通信装置。
【請求項３】
請求項１又は請求項２に記載の通信装置において、
前記第１記憶手段に記憶されており、前記再生手段により再生された情報を前記第１記憶手段から削除する削除手段を更に有することを特徴とする通信装置。
【請求項４】
請求項１乃至請求項３のいずれか一項に記載の通信装置において、
前記受信手段が機能中であるか否かを検知する受信検知手段と、
前記受信検知手段により前記受信手段が機能中であると検知されたことを条件に、前記検知手段の機能を停止させる停止手段を有することを特徴とする通信装置。
【請求項５】
請求項１乃至請求項４のいずれか一項に記載の通信装置において、
前記入力手段により入力された情報は、音声情報、文字情報、又は画像情報の少なくとも一つであり、
前記入力手段は、前記音声情報が入力される音声情報入力手段、前記文字情報が入力される文字情報入力手段、又は媒体に記載された前記画像情報が入力される画像情報入力手段の少なくとも一つであり、
前記再生手段は、前記音声情報を再生する音声情報再生手段、前記文字情報を表示する文字情報表示手段、又は前記画像情報を表示する画像情報表示手段の少なくとも一つであることを特徴とする通信装置。
【請求項６】
請求項１乃至請求項５のいずれか一項に記載の通信装置において、
前記通信情報は、外部より取得される音声情報、文字情報、又は画像情報の少なくともいずれか一つであることを特徴とする通信装置。
【請求項７】
入力手段により入力された情報を第１記憶手段に記憶し、外部より通信情報を受信し、前記受信された通信情報を第２記憶手段に記憶する通信システムに含まれるコンピュータを、
人の存在を検知する検知手段、
前記検知手段により人の存在が検知されたことを条件に、前記第１記憶手段に記憶されている情報を、前記第２記憶手段に記憶されている通信情報に優先して再生する再生手段、
として機能させることを特徴とする通信用プログラム。
【発明の詳細な説明】
【技術分野】
【０００１】
本発明は、通信装置、及び通信用プログラムの技術分野に属する。
【背景技術】
【０００２】
近年、通信装置としてファクシミリ等が用いられており、このファクシミリには様々な機能が備わっている。具体的には、電話機能、伝言機能、外部よりファクシミリ情報等を受信して記録用紙に印刷するファクシミリ機能等が備わっている。ここで、このようなファクシミリには人体検知センサが備えつけられているものもあり、人体検知センサによって人の存在が検知されない場合には、電話機能により相手先の電話番号を記憶部に記憶させておき、後に人の存在が検知された場合に、不在着信通知機能により、不在着信を報知するためランプを点滅又は点灯させて知らせることが行われている（特許文献１〜４）。
【特許文献１】特開２００３−２８５５０号公報
【特許文献２】特開２００６−２１７４８７号公報
【特許文献３】特開２０００−１３８７４７号公報
【特許文献４】特開２００６−１８７９４４号公報
【発明の開示】
【発明が解決しようとする課題】
【０００３】
しかしながら、上述のように当該ファクシミリには様々な機能が備わっているため、例えば、伝言機能と不在着信通知機能の両方を設定した場合に、いずれの機能を優先して報知するかが問題となっている。
【０００４】
そこで、本発明は上記課題を解決するためになされたものであり、早期に再生させる必要性が高い情報を先に再生することができる通信装置を提供することを目的とする。
【課題を解決するための手段】
【０００５】
上記課題を解決するための請求項１に記載の発明は、情報が入力される入力手段と、前記入力手段により入力された情報を記憶する第１記憶手段と、外部より通信情報を受信する受信手段と、前記受信手段により受信された通信情報を記憶する第２記憶手段と、人の存在を検知する検知手段と、前記検知手段により人の存在が検知されたことを条件に、前記第１記憶手段に記憶されている情報を、前記第２記憶手段に記憶されている通信情報に優先して再生する再生手段と、を有することを特徴とする。
【０００６】
これによれば、外部より取得された通信情報と入力手段を用いて入力された情報とが記憶されている場合において、検知手段により人の存在が検知されたタイミングで第１記憶手段に記憶されている情報を通信情報に優先させて再生する。
【０００７】
上記課題を解決するための請求項２に記載の発明は、請求項１に記載の通信装置において、前記再生手段は、前記第１記憶手段に記憶されている情報を再生した後に、前記第２記憶手段に記憶されている通信情報を再生することを特徴とする。
【０００８】
これによれば、外部より取得された通信情報と入力手段を用いて入力された情報とが記憶されている場合において、検知手段により人の存在が検知されたタイミングで第１記憶手段に記憶されている情報を再生した後に、通信情報を再生する。
【０００９】
上記課題を解決するための請求項３に記載の発明は、請求項１又は請求項２に記載の通信装置において、前記第１記憶手段に記憶されており、前記再生手段により再生された情報を前記第１記憶手段から削除する削除手段を更に有することを特徴とする。
【００１０】
これによれば、外部より取得された通信情報と入力手段を用いて入力された情報とが記憶されている場合において、検知手段により人の存在が検知されたタイミングで第１記憶手段に記憶されている情報を通信情報に優先させて再生し、その後再生された情報を記憶手段から削除する。
【００１１】
上記課題を解決するための請求項４に記載の発明は、請求項１乃至請求項３のいずれか一項に記載の通信装置において、前記受信手段が機能中であるか否かを検知する受信検知手段と、前記受信検知手段により前記受信手段が機能中であると検知されたことを条件に、前記検知手段の機能を停止させる停止手段を有することを特徴とする。
【００１２】
これによれば、通信情報が取得された結果、当該通信情報に応じて媒体が排出されたことにより人の存在と誤検知されて検知手段が機能してしまう場合があるため、受信手段が機能中である場合に検知手段の機能を停止させる。
【００１３】
上記課題を解決するための請求項５に記載の発明は、請求項１乃至請求項４のいずれか一項に記載の通信装置において、前記入力手段により入力された情報は、音声情報、文字情報、又は画像情報の少なくとも一つであり、前記入力手段は、前記音声情報が入力される音声情報入力手段、前記文字情報が入力される文字情報入力手段、又は媒体に記載された前記画像情報が入力される画像情報入力手段の少なくとも一つであり、前記再生手段は、前記音声情報を再生する音声情報再生手段、前記文字情報を表示する文字情報表示手段、又は前記画像情報を表示する画像情報表示手段の少なくとも一つであることを特徴とする。
【００１４】
これによれば、外部より取得された通信情報と入力手段を用いて入力された情報とが記憶されている場合において、情報が音声情報、文字情報、画像情報のいずれであったとしても、検知手段により人の接近が検知されたタイミングで第１記憶手段に記憶されている情報を通信情報に優先させて再生する。
【００１５】
上記課題を解決するための請求項６に記載の発明は、請求項１乃至請求項５のいずれか一項に記載の通信装置において、前記通信情報は、外部より取得される音声情報、文字情報、又は画像情報の少なくともいずれか一つであることを特徴とする。
【００１６】
これによれば、外部より取得された通信情報と入力手段を用いて入力された情報とが記憶されている場合において、検知手段により人の存在が検知されたタイミングで第１記憶手段に記憶されている情報を通信情報に優先させて再生する。
【００１７】
上記課題を解決するための請求項７に記載の発明は、入力手段により入力された情報を第１記憶手段に記憶し、外部より通信情報を受信し、前記受信された通信情報を第２記憶手段に記憶する通信システムに含まれるコンピュータを、人の存在を検知する検知手段、
前記検知手段により人の存在が検知されたことを条件に、前記第１記憶手段に記憶されている情報を、前記第２記憶手段に記憶されている通信情報に優先して再生する再生手段、として機能させることを特徴とする。
【００１８】
これによれば、外部より取得された通信情報と入力手段を用いて入力された情報とが記憶されている場合において、検知手段により人の存在が検知されたタイミングで第１記憶手段に記憶されている情報を通信情報に優先させて再生する。
【発明の効果】
【００１９】
本発明によれば、外部より取得された通信情報と入力手段を用いて入力された情報とが記憶されている場合において、検知手段により人の存在が検知されたタイミングで第１記憶手段に記憶されている情報を通信情報に優先させて再生することによって、早期に再生させる必要性が高い情報を先に再生することができる。
【発明を実施するための最良の形態】
【００２０】
次に、本発明を実施するための最良の形態について、図１乃至図４を用いて説明する。
【００２１】
なお、以下に説明する実施形態は、電話回線を介して外部から通信情報（ファクシミリ情報）を取得したり、ファクシミリ送信すべき情報を電話回線を介して外部に送信するファクシミリ機能、外部のコンピュータ等の情報処理装置から記録すべきプリント情報を所定の記録用紙に記録するプリンタ機能、スキャナで読み取った画像等の情報を外部のコンピュータに出力したり、又は所定の記録用紙に記録するスキャナ機能、あるいはコピー機能、また、外部の通話者からかかってきた電話に予め入力されている応答メッセージ並びに当該通話者の音声（メッセージ）を用いて対応し、外部の通話者からのメッセージを記憶しておく留守番電話機能、更に、伝言録音者が伝言を録音し、その後当該伝言を伝言取得者に再生して伝える伝言機能等を兼ね備えた通信装置（ファクシミリ装置）に対して本発明を適用した場合の実施の形態である。
【００２２】
［通信装置の概要］
図１は、実施形態に係る通信装置の概略構成を示す斜視図である。
【００２３】
図１に示すように、実施形態に係る通信装置１は、操作部１１、表示部１２、給紙部１３、排出部１４、原稿台１５、受話器１６、電話回線１７、アンテナ１８、人体検知センサ１９により構成されている。
【００２４】
操作部１１は、通信装置１に対しての指示を与える部分である。更に、通信装置１を伝言機能として利用するために、文字情報を入力する部分である。
【００２５】
表示部１２は、操作部１１により指示された状態等を表示する部分であり、ＬＥＤ（Light Emitting Diode）又は液晶等からなるものである。
【００２６】
給紙部１３は、通信装置１のファクシミリ機能により、ファクシミリ受信した情報又は外部のコンピュータ装置から受信した情報等を印刷する時に用いられる記録用紙を配置しておく部分である。給紙部１３内の記録用紙が一枚ずつ通信装置１内の後述のプリンタ部に送られてトナー画像が転写された後、図示しない定着部において加熱されることにより当該トナーが記録用紙上に固定され、排紙部１４に排出される。
【００２７】
原稿台１５は、通信装置１のスキャナ機能により画像情報を読み取るべき原稿を配置する部分である。
【００２８】
受話器１６は、通信装置１を電話機能、伝言機能として利用するために、音声情報を入力する部分である。
【００２９】
電話回線１７は、通信装置１を外部と接続するためのものであり、受話器１６によって取得された音声情報を電話回線１７を介して外部に送信する部分である。当該電話回線１７を用いて上記ファクシミリ機能又は留守番電話機能を動作させることが可能となる。
【００３０】
アンテナ１８は、図示しないコードレス電話機の子機と通信装置１とを無線接続するためのものである。
【００３１】
人体検知センサ１９は、人の存在を検知する部分である。具体的には、熱線の量の変化、又は輝度の変化により人の存在を検知する。例えば、焦電型の遠赤外線センサや、赤外線センサが用いられる。なお、人体検知センサ１９が設置される位置は、人の存在を検知できる位置であればよく、特に当該規定した位置に限定されるものではない。
【００３２】
なお、人体検知センサが当該規定した位置に配置されている場合には、通信情報が取得された結果、当該通信情報に応じて媒体が排出されたことにより人の存在と誤検知されて人体検知センサ（検知部）が機能してしまう場合があるため、回線制御部が機能中である場合に人体検知センサの機能を停止させてもよい。これにより、排出された媒体に対する検知部の誤検知を防止することができる。
【００３３】
図２は、実施形態に係る通信装置の概略構成を示す断面図である。
【００３４】
スキャナ３０は、原稿３２の画像情報を読み取るための手段である。
具体的には、原稿台３１上に複数枚重ねられた原稿３２は、分離体３３と分離ローラ３４とにより、一枚ずつ分離されて搬送ローラ対３５の方向に送られる。この搬送ローラ対３５から排紙ローラ３６へ搬送する原稿３２の表面（本実施形態では下面）は、その間に配置された読み取り部３７にて、光源部３８からの光を照射され、反射光はレンズ系や反射系を介してラインイメージセンサ等の読み取りヘッド３９に入り、読み取りヘッド３９にて原稿３２の１ページごとの画像情報が読み取られる。
【００３５】
プリンタ２１は、給紙部２２上に設置された記録紙２３は、給紙部２２の半月状の給紙ローラ２４等にて、記録部における感光体ドラム２５に向かって給紙される。次に、光走査ユニット２６から走査される光線により感光体ドラム２５に潜像が形成され、トナーカートリッジ２７及び現像装置２８から供給されるトナーを用いて前記潜像が現像され、記録紙２３に転写され、加熱ローラと加圧ローラとからなる定着装置２９を通過することによりトナー像が定着され、排紙部１４に送り出される。
【００３６】
［通信装置の構成及び機能］
次に、上述した構成を備える通信装置の細部構成及び細部動作を図３を用いて説明する。なお、図３は、実施形態に係る通信装置の細部構成を示すブロック図である。
【００３７】
図３に示すように、実施形態に係る通信装置１は、受信検知手段、停止手段としてのＣＰＵ５１と、ＲＯＭ（Read Only Memory）５２と、第１記憶部、第２記憶部としてのＲＡＭ（Random Access Memory）５３と、操作部５４と、表示部５５と、再生手段としてのスピーカ５６と、スキャナ部５７と、プリンタ部５８と、検知手段としての検知部（人体検知センサ）１９と、モデム部６０と、受信手段としての回線制御部６１と、入力手段としての受話器６２と、電話回線６３と、により構成されている。
【００３８】
回線制御部（ＮＣＵ）６１は、公衆回線を使った接続を行う際に、公衆回線とモデムやＤＳＵ（Digital Service Unit）などと接続して、他のファクシミリ装置との通信を確立する。なお、上記電話回線は、公衆回線を介して音声信号を送出するものに限られず、ＩＰ網を介して音声信号を音声パケットに変換して送出するものにも適用される。モデム部６０は、いわゆる変復調動作を行うものであり、より具体的には、電話回線から入力されたファクシミリ情報に対して復調動作を行い、当該ファクシミリ情報に対応するディジタル信号をバス６４に出力と共に、バス６４からのファクシミリ情報を変調する。また、モデム部６０は、いわゆるボイス機能を備えるものであって、より具体的には、電話回線から入力された音声情報（アナログ信号）をディジタル信号に変換してバス６４に出力すると共に、バス６４を介して入力した音声情報（ディジタル情報）をアナログ信号に復元する。
【００３９】
スキャナ部５７は、ＣＰＵ５１の制御の下、通信装置１がファクシミリ装置として機能する場合のファクシミリ送信すべき画像等の情報を読み取ってバス６４に出力すると共に、通信装置１がコピー装置として機能する場合の当該コピーすべき画像等の情報を読み取ってバス６４に出力する。
【００４０】
プリンタ部５８は、ＣＰＵ５１の制御の下、通信装置１がファクシミリ装置として機能する場合にモデム部６０を介して入力された受信したファクシミリ情報を、ＲＡＭ５３に一時的に記憶した後又は直接所定の記録用紙に記録して出力する。この他に、プリンタ部５８は、通信装置１がコピー装置として機能する場合の当該コピーすべき画像等の情報をバス６４から受け取って上記記録用紙に記録すると共に、通信装置１がプリンタ装置として機能する場合の図示しないパソコンから入力された情報をバス６４から受け取って記録用紙に記録する。
【００４１】
通信装置１の状態に関する情報及び各種操作指示画面を表示するディスプレイ、ＦＡＸ番号等を入力するためのテンキー、原稿の読取り動作の開始等を行うためのスタートキー、ディスプレイ内の反転表示を移動させるためのカーソルキー等を備えており、各種操作はこの操作部５４により行われる。
【００４２】
表示部５５は、操作部５４により指示された状態等を表示する部分である。
【００４３】
ＲＯＭ５２は、主としてＣＰＵ５１において実行されるファクシミリ機能、スキャナ機能、プリンタ機能又はコピー機能等を実現するための制御プログラムを記憶しておくための読み出し専用のメモリであり、ＣＰＵ５１の制御の下、必要なデータ等をバス６４を介して出力する。
【００４４】
ＲＡＭ５３は、ＣＰＵ５１の制御の下、必要なデータを一時的に記憶する等の動作を行うための読み書き可能なメモリであり、具体的には、ファクシミリ情報として電話回線６３及び制御部６１等を介して入力されたデータ、電話回線６３を介して外部に送出すべきファクシミリ情報又はスキャナ部５７において読み取られた情報等を一時的に記憶し、ＣＰＵ５１の制御により所定のタイミングで読み出す。
【００４５】
スピーカ５６は、呼出音、ガイダンス音声、入力情報等の音声情報を出力する。
【００４６】
検知部（人体検知センサ）１９は、熱線の量の変化を電圧の変化に変換し、当該電圧変化をオペアンプにより増幅し、コンパレータによってアナログ信号をディジタル信号に変換し、ＣＰＵ５１に出力する。
【００４７】
最後に、ＣＰＵ５１は、バス６４を介して、ＲＯＭ５２に記録されている制御プログラムに基づいて上述の各構成部材の動作を制御する。
【００４８】
更に上記の構成において、留守番電話機能を実行するときには、外部の通話者から掛かってきた電話に対応するための予め入力されたいわゆる応答メッセージ並びに当該通話者の音声（メッセージ）は上記ＲＡＭ５３に一時的に記憶される。更にこれらの留守番電話機能はＣＰＵ５１により統轄して制御される。なお、ＲＡＭ５３は、電源が断となったときでも記憶内容が消失しないように電源バックアップ可能なものや、不揮発メモリを用いる。
【００４９】
［通信処理］
次に、上述した細部構成を備える通信装置において実行される通信処理について図４を用いて説明する。
【００５０】
なお、図４は、通信処理を示すフローチャートである。
【００５１】
まず、お知らせ設定をＯＮにする（ステップＳ１１）。
【００５２】
お知らせ設定とは、お知らせ要因がある場合にお知らせ（報知）を行うか否かを設定するものであり、お知らせ設定をＯＮにすることにより、お知らせ要因がある場合には、お知らせ（報知）が行われることになる。ここで、お知らせ要因としては、例えば、通信装置（ファックス）のトナー切れ（要因１）、未再生の留守番電話メッセージがあるとき（要因２）、新着のファックス情報があるとき（要因３）、通信装置のトナーの残量が少ないとき（要因４）、外部から着信があったとき（要因５）、帰宅お知らせが設定されているとき（要因６）等が挙げられる。ここでは、お知らせ（報知）をされる人にとって必要と思われる要因から順に１〜６までを上記に挙げたが、順序は設定により変更することも可能である。
【００５３】
次に、伝言設定を行う（ステップＳ１２）。
【００５４】
具体的には、伝言録音者が音声入力手段としての受話器を用いて、音声により伝言（入力情報）を入力（録音）する。当該伝言は、第１記憶部に記憶される。なお、ここでは伝言を音声により録音する場合について以下説明するが、文字入力手段としての操作部、画像入力手段としてのスキャナ部、携帯電話などのビデオカメラを用いて、文字や画像を伝言として入力してもよい。更に、ここでは、外部より取得した通信情報については改めて記載しないが、外部より取得した通信情報（ファクシミリ情報等）も第２記憶部に記憶されることになる。
【００５５】
次に、人体検知センサが人の存在を検知したか否か判定を行う（ステップＳ１３）。
【００５６】
具体的には、伝言を聞くべき伝言取得者が通信装置付近に現れた場合に伝言再生を行うため、人体検知センサにより人の存在を検知する。
【００５７】
ここで、人の存在が検知されていない場合（ステップＳ１３：ＮＯ）には、人の存在が検知されるまで繰り返し人の存在が検知されたか否かの判定が行われる。
【００５８】
一方、人の存在が検知された場合（ステップＳ１３：ＹＥＳ）には、次に、伝言設定がなされたか否かを判定する（ステップＳ１４）。
【００５９】
ここで、伝言設定がなされていない場合には、Ｓ１7の動作に移行する。一方、伝言設定がなされている場合には、伝言再生を行う（ステップＳ１５）。
【００６０】
次に、伝言を消去する（ステップＳ１６）。
具体的に、再生された伝言が消去される。
【００６１】
次に、お知らせ設定がＯＮであるか否かを判定する（ステップＳ１７）。
ここで、お知らせ設定がＯＮでない場合（ステップＳ１７：ＮＯ）には、動作を終了する。一方、お知らせ設定がＯＮである場合（ステップＳ１７：ＹＥＳ）には、次に、要因１があるか否かを判定する（ステップＳ１８）。
【００６２】
具体的には、上述したように、要因１（通信装置（ファックス）のトナー切れ（要因１））が発生している場合には、要因１を報知する必要があるため、要因１があるか否かを判定する。
【００６３】
ここで、要因１がない場合（ステップＳ１８：ＮＯ）には、Ｓ２０の動作に移行する。一方、要因１がある場合（ステップＳ１８：ＹＥＳ）には、要因１を再生する（ステップＳ１９）。具体的には、表示部に「トナーがありません。新しいカートリッジをセットしてください。」等の情報が表示されたり、又は、スピーカにより「トナーがありません。」との音声情報が再生されたりする。
【００６４】
次に、要因２があるか否かを判定する（ステップＳ２０）。
【００６５】
具体的には、上述したように、要因２（未再生の留守番電話メッセージ（通信情報）があるとき）が発生している場合には、要因２を報知する必要があるため、要因２があるか否かを判定する。
【００６６】
ここで、要因２がない場合（ステップＳ２０：ＮＯ）には、フローチャートには図示していないが、要件３があるか否かの判定を行う動作に移行する。一方、要因２がある場合（ステップＳ２０：ＹＥＳ）には、要因２を再生する（ステップＳ２１）。具体的には、留守録音のランプを点滅させたり、又は、スピーカにより「新しい録音メッセージはあります。」との音声情報が再生されたりする。
【００６７】
次に、フローチャートには図示していないが、同様に要因３があるか否かを判定する。
【００６８】
具体的には、上述したように、要因３（新着のファックス情報（通信情報）があるとき）が発生している場合には、要因３を報知する必要があるため、要因３があるか否かを判定する。
【００６９】
ここで、要因３がない場合には、フローチャートには図示していないが、要件４があるか否かの判定を行う動作に移行する。一方、要因３がある場合には、要因３を再生する。具体的には、表示部に「新着ファックスがあります。」等の情報が表示されたり、又は、スピーカにより「ファックス一覧キーを押してください。」との音声情報が再生されたりする。
【００７０】
次に、フローチャートには図示していないが、同様に要因４があるか否かを判定する。
【００７１】
具体的には、上述したように、要因４（通信装置のトナーの残量が少ないとき）が発生している場合には、要因４を報知する必要があるために、要因４があるか否かを判定する。
【００７２】
ここで、要因４がない場合には、フローチャートには図示していないが、要件５があるか否かの判定を行う動作に移行する。一方、要因４がある場合には、要因４を再生する。具体的には、ランプを点滅させたり、又は、スピーカにより「トナーがまもなく無くなります。」との音声情報が再生されたりする。
【００７３】
次に、フローチャートには図示していないが、同様に要因５があるか否かを判定する。
【００７４】
具体的には、上述したように、要因５（着信があったとき）が発生している場合には、要因５を報知する必要があるため、要因５があるか否かを判定する。
【００７５】
ここで、要因５がない場合には、フローチャートには図示していないが、要件６があるか否かの判定を行う動作に移行する。一方、要因５がある場合には、要因５を再生する。具体的には、表示部に「着信○件ありました。」等の情報が表示されたり、又は、スピーカにより「着信が○件あります。」との音声情報が再生されたりする。
【００７６】
次に、要因Ｎがあるか否かを判定する（ステップＳ２２）。なお、本実施形態において、要因６がある場合について説明しているため、Ｎ＝６である。
【００７７】
具体的には、上述したように、要因６（帰宅お知らせが設定されているとき）が発生している場合には、要因６を行う必要があるため、要因６があるか否かを判定する。
【００７８】
ここで、要因６がない場合（ステップＳ２２：ＮＯ）には動作を終了する。一方、要因６がある場合（ステップＳ２２：ＹＥＳ）には、要因６を行う（ステップＳ２３）。具体的には、電話機能により電話回線を介して帰宅情報が送信されたりする。
【００７９】
このように、上述した要因１〜Ｎについて、要因があるか否かを判定し、要因がある場合には、再生（実行）し、要因がない場合には、その次の要因があるか否かを判定する動作を繰り返し行う。
【００８０】
以上説明したように、外部より取得された通信情報と受話器、又は操作部を用いて入力された情報とが記憶されている場合において、検知手段により人の存在が検知されたタイミングで第１記憶部に記憶されている情報を通信情報に優先させて再生することによって、早期に再生させる必要性が高い情報を先に再生することができる。
【００８１】
また、検知部により人の存在が検知されたタイミングで第１記憶部に記憶されている情報を再生した後に、通信情報を再生することによって、早期に再生させる必要性が高い情報から順に再生させることができる。
【００８２】
また、検知部により人の存在が検知されたタイミングで第１記憶部に記憶されている情報を通信情報に優先させて再生し、その後再生された情報を記憶部から削除することによって、記憶部に記憶されている記憶量を逐次減らすことができるため、記憶部を有効に利用することができる。
【００８３】
また、通信情報が取得された結果、当該通信情報に応じて媒体が排出されたことにより人の存在と誤検知されて検知部が機能してしまう場合があるため、回線制御部が機能中である場合に検知部の機能を停止させることにより、排出された媒体に対する検知部の誤検知を防止することができる。
【００８４】
また、情報が音声情報、文字情報、画像情報のいずれであったとしても、検知手段により人の接近が検知されたタイミングで第１記憶部に記憶されている情報を通信情報に優先させて再生することによって、早期に再生させる必要性が高い情報から先に再生することができる。
【図面の簡単な説明】
【００８５】
【図１】実施形態に係る通信装置の概略構成を示す斜視図である。
【図２】実施形態に係る通信装置の概略構成を示す断面図である。
【図３】実施形態に係る通信装置の細部構成を示すブロック図である。実施形態に係る検査システムにおける検査処理を示すフローチャートである。
【図４】通信処理を示すフローチャートである。
【符号の説明】
【００８６】
１    通信装置
１１    操作部
１２    表示部
１３    給紙部
１４    排出部
１５    原稿台
１６    受話器
１７    電話回線
１８    アンテナ
１９    人体検知センサ
５１    ＣＰＵ
５２    ＲＯＭ
５３    ＲＡＭ
５４    操作部
５５    表示部
５６    スピーカ
５７    スキャナ部
５８    プリンタ部
６０    モデム部
６１    回線制御部
６２    受話器
６３    電話回線
６４    バス
【図１】
2008252352.tif 000003
【図２】
2008252352.tif 000004
【図３】
2008252352.tif 000005
【図４】
2008252352.tif 000006